(57)【要約】  【課題】  簡易な操作でセキュリティ機能の設定解除ができる電話機と監視装置から構成される監視システムを提供する。  【解決手段】  留守録音機能を持つ電話機１において、留守録音設定ボタン２を押して、留守録音機能を設定または解除すると、監視装置６がドア５からの侵入者の監視内容を電話機１へ送信し、電話機１がこれを受信認識するセキュリティ機能が同時に有効または無効となる。【選択図】    図１
2005352800.tif 000002
【特許請求の範囲】
【請求項１】
留守録音機能を有する電話機と、侵入者を検知する侵入検知部を有し前記電話機と通信を行う監視装置とを備え、
前記電話機が前記留守録音機能の有効操作を検知すると、前記監視装置が前記侵入検知部で検知した情報に基づく監視内容を前記電話機に送信し前記電話機が前記監視内容を受信し前記電話機が前記監視内容を認識するセキュリティ機能が有効となることを特徴とする監視システム。
【請求項２】
留守録音機能を有する電話機と、侵入者を検知する侵入検知部を有し前記電話機と通信を行う監視装置とを備え、
前記電話機が前記留守録音機能の無効操作を検知すると、前記監視装置が前記侵入検知部で検知した情報に基づく監視内容を前記電話機に送信し前記電話機が前記監視内容を受信し前記電話機が前記監視内容を認識するセキュリティ機能が無効となることを特徴とする監視システム。
【請求項３】
前記電話機または前記監視装置が、前記セキュリティ機能の動作異常要因と、前記監視装置の監視内容の異常のうち少なくとも一つを検知した場合、前記電話機が前記留守録音機能の有効操作を検知するにもかかわらず、前記セキュリティ機能が無効となることを特徴とする請求項１に記載の監視システム。
【請求項４】
前記セキュリティ機能が無効の場合、前記監視装置が、前記セキュリティ機能が有効の場合に比して消費電力が少ない省電力状態であることを特徴とする請求項２または請求項３に記載の監視システム。
【請求項５】
前記電話機が前記セキュリティ機能の動作異常要因と、前記監視装置の監視内容の異常のうち少なくとも一つを検知した場合、前記電話機が報知をすることを特徴とする請求項１〜請求項４のいずれかに記載の監視システム。
【請求項６】
前記電話機が前記留守録音機能の有効操作または無効操作を検知した時のみ、前記監視装置が電源状態の情報を前記電話機へ送信することを特徴とする請求項１〜請求項５のいずかに記載の監視システム。
【発明の詳細な説明】
【技術分野】
【０００１】
本発明は、留守録音機能を持つ電話機および監視装置で構成される監視システムに関する。
【背景技術】
【０００２】
使用者が不在中に着信した相手側のメッセージを録音する留守録音機能を持った電話機は既に一般的に普及されている。上記留守録音機能以外にさらに多様な機能を追加した電話機としては、センサーで侵入者および火災を検知し、留守中に通報する防犯機能および防火機能のようなセキュリティ機能を持たせた多機能形電話機が知られている（例えば、特許文献１参照）。
【０００３】
また、子機の電池情報を親機に送信し、親機で電池残量を表示または残量不十分な時に警報するコードレス電話機が知られている（例えば、特許文献２参照）。
【特許文献１】特開平６−２４４９２４号公報
【特許文献２】特開平４−３５４２３０号公報
【発明の開示】
【発明が解決しようとする課題】
【０００４】
しかし、上記のような多機能形電話機では、留守録音モード、防犯モード、防火モード等複数の機能を、使用者が別々に設定解除する必要があり、操作が複雑で使用者が設定解除し忘れることが度々あった。外出時に留守録音機能を設定するという動作はすでに使用者に浸透しているといえるが、セキュリティ機能を設定する動作はまだ一般的とはいえず、度々の設定し忘れにより、セキュリティ機能の効用を十分に享受できていない。また、使用者が帰宅後、セキュリティ機能の解除し忘れにより、使用者が無用な警報を受けることも度々あった（以下、第１の問題点と呼ぶ）。
【０００５】
また、上記のようなコードレス電話機では、もし子機が監視装置である場合、子機が常時電池情報を親機に送信し、親機はこれを常時表示または残量不十分な時に警報するため、得てして電池状態の配慮が届かない子機が無用な電力消費をし、電池切れにより警報が鳴っても、使用者が不在であれば対応がとれず、もし、セキュリティ監視状態の場合であれば、セキュリティ機能が無効となってしまう（以下、第２の問題点と呼ぶ）。
【０００６】
上記問題点を鑑み、本発明は、簡易な操作でセキュリティ機能の設定解除ができる電話機と監視装置から構成される監視システムを提供することを目的とする。
【課題を解決するための手段】
【０００７】
上記目的を達成するために、本発明の監視システムは、留守録音機能を有する電話機と、侵入者を検知する侵入検知部を有し前記電話機と通信を行う監視装置とを備え、
前記電話機が前記留守録音機能の有効操作を検知すると、前記監視装置が前記侵入検知部で検知した情報に基づく監視内容を前記電話機に送信し前記電話機が前記監視内容を受信し前記電話機が前記監視内容を認識するセキュリティ機能が有効となることを特徴とする（以下、本構成を第１の構成と呼ぶ）。
【０００８】
このような構成によれば、防犯が真に必要である外出時に、使用者は電話機で操作し慣れている留守録音機能の設定をするという簡易な操作をすることで、セキュリティ機能も同時に設定できるので、セキュリティ機能設定のし忘れをなくし、セキュリティ機能の効用を十分に享受できる（第１の問題点の解決）。
【０００９】
また、本発明の監視システムは、留守録音機能を有する電話機と、侵入者を検知する侵入検知部を有し前記電話機と通信を行う監視装置とを備え、
前記電話機が前記留守録音機能の無効操作を検知すると、前記監視装置が前記侵入検知部で検知した情報に基づく監視内容を前記電話機に送信し前記電話機が前記監視内容を受信し前記電話機が前記監視内容を認識するセキュリティ機能が無効となることを特徴とする（以下、本構成を第２の構成と呼ぶ）。
【００１０】
このような構成によれば、使用者が帰宅時に、操作し慣れている留守録音機能の解除をするという簡易な操作をすることで、セキュリティ機能も同時に解除できるので、解除し忘れにより、監視装置が設置されたドア等を使用者が不用意に開放し、無用の警報を受けることもない（第１の問題点の解決）。
【００１１】
また、本発明の監視システムは、第１の構成の監視システムにおいて、前記電話機または前記監視装置が、前記セキュリティ機能の動作異常要因と、前記監視装置の監視内容の異常のうち少なくとも一つを検知した場合、前記電話機が前記留守録音機能の有効操作を検知するにもかかわらず、前記セキュリティ機能が無効となることを特徴とする（以下、本構成を第３の構成と呼ぶ）。
【００１２】
このような構成によれば、留守録音機能設定時に、セキュリティ機能の動作異常要因（監視装置の電池残量少、監視装置と電話機間の通信異常等）が存在する場合に、現時点で動作不具合のまま、または動作不具合になる可能性を持ったままセキュリティ機能が有効となることを防げる。また、監視装置の監視内容に異常（ドアが開いた状態、施錠されていない状態、付近に人が存在する状態等）がある場合、そのままセキュリティ機能が有効となり、無用な警報を受けることを防げる。
【００１３】
また、本発明の監視システムは、第２の構成または第３の構成の監視システムにおいて、前記セキュリティ機能が無効の場合、前記監視装置が、前記セキュリティ機能が有効の場合に比して消費電力が少ない省電力状態であることを特徴とする（以下、本構成を第４の構成と呼ぶ）。
【００１４】
このような構成によれば、普段電源状態の配慮が届かない監視装置の無用な電力消費を抑えることができる。特に、留守録音機能を解除すると同時にセキュリティ機能が解除され、同時に監視装置は省電力状態になるので、セキュリティ機能解除し忘れによる監視装置の無用な電力消費を抑えることができる。
【００１５】
また、本発明の監視システムは、第１〜４のいずれかの構成の監視システムにおいて、前記電話機が前記セキュリティ機能の動作異常要因と、前記監視装置の監視内容の異常のうち少なくとも一つを検知した場合、前記電話機が報知をすることを特徴とする（以下、本構成を第５の構成と呼ぶ）。
【００１６】
このような構成によれば、留守録音機能の設定解除という使用者が直接操作をする時点で、セキュリティ機能の動作異常要因（監視装置の電池残量少、監視装置と電話機間の通信異常等）の存在や、監視装置の監視内容の異常（ドアが開いた状態、施錠されていない状態、付近に人が存在する状態等）を知ることができ、即座に対応がとれる。特に留守録音機能を設定し、セキュリティ機能を有効とする外出時に、対応をとれるので、セキュリティ機能を完全に機能させた状態で使用者は外出できる（第２の問題点の解決）。
【００１７】
また、本発明の監視システムは、第１〜５のいずれかの構成の監視システムにおいて、前記電話機が前記留守録音機能の有効操作または無効操作を検知した時のみ、前記監視装置が電源状態の情報を前記電話機へ送信することを特徴とする。
【００１８】
このような構成によれば、留守録音機能を設定解除する時のみ、監視装置が電源状態の情報（電池残量等）を電話機に送信するので、使用者が監視装置の電源状態を知る必要のない時まで常時送信する必要がなく、普段電源状態の配慮が届かない監視装置の無用な電力消費を抑えることができる（第２の問題点の解決）。
【発明の効果】
【００１９】
本発明の電話機と監視装置から構成される監視システムにより、簡易な操作でセキュリティ機能の設定解除ができる。
【発明を実施するための最良の形態】
【００２０】
本発明の実施例である監視システムの概観を、図１に示す。電話機１は、使用者が留守録音機能を設定解除する留守録音設定ボタン２と、留守録音機能で録音した相手側のメッセージや異常状態等を使用者に知らせるスピーカ３と、電話番号や異常状態等を表示する表示部４とを備える。
【００２１】
また、監視装置６は、ドア５に設置され、内蔵するセンサにより、ドア５から侵入する侵入者を監視し、監視内容を無線により電話機１へ送信する。
【００２２】
図２には、電話機１の概略構成を示す。また、図３には、監視装置６の概略構成を示す。ただし、電話機１のうち本発明と関係のない機能部（受話器、ダイヤルボタン等）は図２に示さない。
【００２３】
以下、図２で示される構成の電話機１と、図３で示される構成の監視装置６とで構成される監視システムについて、使用者が電話機１で留守録音機能を設定する操作をした場合の動作を、図４のフローチャートに従って説明する。
【００２４】
ステップＳ１０で、使用者が電話機１の留守録音設定ボタン２を押し下げる。
【００２５】
電話機１の制御部１０は、ボタン押下検出部７で留守録音設定ボタン２の押し下げを検出し、ステップＳ２０で、留守メッセージ（通常は、使用者不在時に着信した相手側に、使用者不在を通知するメッセージ）を記憶部９から取り出し、スピーカ３から再生する。
【００２６】
ステップＳ３０で、電話機１の制御部１０は、留守録音設定ボタン２の押し下げを示す情報を、送受信部１１とアンテナ１２を介して、監視装置６に送信する。
【００２７】
この時、監視装置６は通常、省電力モードである。省電力モードとは、電話機１からの留守録音設定通知を監視することが可能な最低限な構成部（送受信部１９内の受信部や制御部１６内の割り込み処理部等）を少なくとも動作させ、消費電力をセキュリティ監視状態（後述）時よりも低減している状態であり、既に公知の様々な方法を含めその方法は問わない。例えば、留守録音設定通知の監視は、常時でもよいし、間欠的に行ってもよい。また、留守録音設定通知を監視することが可能な最低限な構成部以外の部分（センサ１４、検知部１５等）の動作については、例えば、停止してもよいし、セキュリティ監視状態時に行う動作を大きな周期で間欠的に行ってもよい（このとき電話機１は監視装置６から送信される監視内容を受信しない）。
【００２８】
ステップＳ４０で、監視装置６の制御部１６が、電話機１から留守録音設定ボタン２の押し下げの通知を、アンテナ２０と送受信部１９を介して受信すると、ステップ５０で、監視装置６は省電力モードを解除する。
【００２９】
次に、ステップＳ６０で、監視装置６の制御部１６は、電池１８の残量を電池容量検出部１７で確認し、所定値未満である場合（ステップＳ６０のＮ）、ステップＳ１１０で、電池減少の検出情報を送受信部１９とアンテナ２０を介して電話機１に送信し、ステップＳ１２０で省電力モードに戻る。もし、所定値以上の電池残量がある場合（ステップＳ６０のＹ）、ステップＳ７０へ進む。
【００３０】
ステップＳ７０で、監視装置６の制御部１６は、センサ１４および検知部１５を用いてドア５の監視動作を行う。センサ１４としては例えば、メカニカルセンサ、磁気センサ、赤外線センサ等であり、その種類により、ドア５の開放、ドア５の非施錠、ドア５付近に人がいる状態等、監視内容に異常がないか確認する。
【００３１】
ステップＳ７０で、センサ１４および検知部１５で検知された監視内容に異常があれば（ステップＳ７０のＮ）、ステップＳ１００で、監視装置６の制御部１６は、監視内容を送受信部１９とアンテナ２０を介して電話機１に送信し、ステップＳ１２０で省電力モードに戻る。もし、監視内容に異常がなければ（ステップＳ７０のＹ）、ステップＳ８０で、監視内容を送受信部１９とアンテナ２０を介して電話機１に送信し、ステップＳ９０へ進む。
【００３２】
ステップＳ９０で、監視装置６は、セキュリティ監視状態に入る。セキュリティ監視状態とは、侵入者を監視する状態であり、監視装置６で監視した監視内容を電話機１に送信し、電話機１がこの情報を受信し認識する状態であるが、既に公知の様々な方法を含めその方法は問わない。例えば、電話機１が監視装置６に定期的に要求して、監視装置６から監視内容を取得する方法や、監視内容に異常があった場合に監視装置６が電話機１へ通知する方法等がある。
【００３３】
一方、電話機１の制御部１０は、ステップＳ１３０の留守メッセージ再生終了後から、タイムアウト（ステップＳ１５０）の状態を監視しながら、監視装置６からアンテナ１２、送受信部１１を介して受信される情報を待つ（ステップＳ１４０）。もし、監視装置６からの応答がなく、タイムアウトした場合（ステップＳ１５０のＹ）、ステップＳ１６０へ進む。もし、タイムアウト前に監視装置６から情報が受信された場合（ステップＳ１４０のＹ）、ステップＳ１７０へ進む。
【００３４】
ステップＳ１７０で、電話機１の制御部１０は、監視装置６から受信した情報（電池状態、監視内容）に異常があるかを確認する。もし、異常がある場合は（ステップＳ１７０のＮ）、ステップＳ１６０へ進む。異常がない場合は（ステップＳ１７０のＹ）、ステップＳ１８０へ進む。
【００３５】
ステップＳ１６０で、電話機１の制御部１０は、監視装置６の電池状態や監視内容の異常、また、監視装置６からの応答の異常を、スピーカ３や表示部４で使用者に通知する。
【００３６】
ステップＳ１８０で、電話機１は留守録音設定状態およびセキュリティ監視状態に入る。留守録音設定状態では、使用者が不在時に電話回線接続端子１３に接続された電話回線から着信された相手側のメッセージを、記憶部９に録音することができる。
【００３７】
次に、図２で示される構成の電話機１と、図３で示される構成の監視装置６とで構成される監視システムについて、使用者が留守録音機能を解除する操作をした場合の動作を、以下図５のフローチャートに従って説明する。
【００３８】
ステップＳ１０で、使用者が電話機１の留守録音設定ボタン２を押し下げる。このとき、電話機１は、留守録音機能設定状態およびセキュリティ監視状態である。
【００３９】
電話機１の制御部１０は、留守録音設定ボタン２の押し下げをボタン押下検出部７で検出し、ステップＳ２０で、留守録音設定状態を解除したことを告げるメッセージをスピーカ３から再生する。
【００４０】
ステップＳ３０で、電話機１の制御部１０は、留守録音設定ボタン２の押し下げを示す情報を、送受信部１１とアンテナ１２を介して、監視装置６に送信する。
【００４１】
ステップＳ４０で、監視装置６の制御部１６が、電話機１から留守録音設定ボタン２の押し下げの通知を、アンテナ２０と送受信部１９を介して受信すると、ステップ５０へ進む。
【００４２】
次に、ステップＳ５０で、監視装置６の制御部１６は、電池１８の残量を電池容量検出部１７で確認し、所定値未満である場合（ステップＳ５０のＮ）、ステップＳ９０で、電池減少の検出情報を送受信部１９、アンテナ２０を介して電話機１に送信し、ステップＳ８０へ進む。もし、所定値以上の電池残量がある場合（ステップＳ５０のＹ）、ステップＳ６０へ進む。
【００４３】
ステップＳ６０で、監視装置６の制御部１６は、センサ１４および検知部１５を用いてドア５の監視動作を行う。センサ１４としては例えば、メカニカルセンサ、磁気センサ、赤外線センサ等であり、その種類により、ドア５の開放、ドア５の非施錠、ドア５付近に人がいる状態等、監視内容に異常がないか確認する。
【００４４】
ステップＳ６０で、センサ１４および検知部１５で検知された監視内容に異常があれば（ステップＳ６０のＮ）、ステップＳ１００で、監視装置６の制御部１６は、監視内容を送受信部１９とアンテナ２０を介して電話機１に送信し、ステップＳ８０へ進む。もし、監視内容に異常がなくても（ステップＳ６０のＹ）、ステップＳ７０で、監視内容を送受信部１９とアンテナ２０を介して電話機１に送信し、ステップＳ８０へ進む。
【００４５】
ステップＳ８０で、監視装置６は省電力モードに入り、セキュリティ監視状態が解除される。
【００４６】
一方、電話機１の制御部１０は、ステップＳ１１０の留守録音設定状態を解除したことを告げるメッセージの再生終了後から、タイムアウト（ステップＳ１３０）の状態を監視しながら、監視装置６からアンテナ１２と送受信部１１を介して受信される情報を待つ（ステップＳ１２０）。もし、監視装置６からの応答がなく、タイムアウトした場合（ステップＳ１３０のＹ）、ステップＳ１４０へ進む。もし、タイムアウト前に監視装置６から情報が受信された場合（ステップＳ１２０のＹ）、ステップＳ１５０へ進む。
【００４７】
ステップＳ１５０で、電話機１の制御部１０は、監視装置６からの情報（電池状態、監視内容）に異常があるかを確認する。もし、異常がある場合は（ステップＳ１５０のＮ）、ステップＳ１４０へ進む。異常がない場合は（ステップＳ１５０のＹ）、ステップＳ１６０へ進み、待機状態に入り、セキュリティ監視状態が解除される。
【００４８】
ステップＳ１４０で、電話機１の制御部１０は、監視装置６の電池状態や監視内容の異常、また、監視装置６からの応答の異常を、スピーカ３や表示部４で使用者に通知し、ステップＳ１６０で待機状態に入り、セキュリティ監視状態が解除される。
【００４９】
なお、以上の実施例では、留守録音機能を持つ電話機について説明したが、留守録音機能を持つファクシミリ搭載の電話機にも、本発明を適用できる。
【００５０】
また、以上の実施例では、電話機と監視装置の通信を無線で行うが、有線で行ってもよい。
【００５１】
また、以上の実施例では、監視装置の設置場所をドアとしたが、それ以外の侵入者が侵入する場所に設置してもよい（例えば、窓等）。
【００５２】
また、以上の実施例では、監視装置の電源を電池としたが、それ以外の電源でもよい。例えば、電源がACアダプターであれば、留守録音機能の設定または解除時に電話機から要求があったときに、監視装置がACアダプターからの電力供給状態の情報を電話機へ送信してもよい。
【００５３】
また、以上の実施例では、留守録音機能を設定解除する時、使用者が電話機の留守録音設定ボタンを押し下げたが、外出先からリモート操作で留守録音機能の設定解除が可能な機種の場合は、外出先からのリモート操作を電話機が検出するので、実施例で説明した電話機の留守録音設定ボタン押し下げより後の動作は同様に適用できる。
【図面の簡単な説明】
【００５４】
【図１】は、本発明の監視システムの概観を示す。
【図２】は、本発明の電話機の概略構成を示す。
【図３】は、本発明の監視装置の概略構成を示す。
【図４】は、留守録音機能を設定する操作をした場合の本発明の監視システムの動作を示すフローチャートである。
【図５】は、留守録音機能を解除する操作をした場合の本発明の監視システムの動作を示すフローチャートである。
【符号の説明】
【００５５】
１    電話機
２    留守録音設定ボタン
３    スピーカ
４    表示部
５    ドア
６    監視装置
７    ボタン押下検出部
８    電源部
９    記憶部
１０    制御部
１１    送受信部
１２    アンテナ
１３    電話回線接続端子
１４    センサ
１５    検知部
１６    制御部
１７    電池容量検出部
１８    電池
１９    送受信部
２０    アンテナ
【図１】
2005352800.tif 000003
【図２】
2005352800.tif 000004
【図３】
2005352800.tif 000005
【図４】
2005352800.tif 000006
【図５】
2005352800.tif 000007